(57)【要約】双方向媒体で通信するためのシステムは第１の中継器と、第２の中継器と、第３の中継器と、第４の中継器とを含んでおり、それぞれ媒体に結合されている。第１の中継器および第２の中継器は第１の中継器から第２の中継器へ送信するための第１の帯域と、第２の中継器から第１の中継器へ送信するための第２の帯域とで相互に通信している。第２の中継器および第３の中継器は第２の中継器から第３の中継器へ送信するための第３の帯域と、第３の中継器から第２の中継器へ送信するための第４の帯域とで相互に通信している。第３の中継器および第４の中継器は第３の中継器から第４の中継器へ送信するための第２の帯域と、第４の中継器から第３の中継器へ送信するための第１の帯域とで相互に通信している。
2006503505.tif 000002
【特許請求の範囲】
【請求項１】
双方向媒体で通信するためのシステムにおいて、
それぞれ媒体に結合されている第１の中継器と、第２の中継器と、第３の中継器と、第４の中継器とを含んでおり、
前記第１の中継器および前記第２の中継器は前記第１の中継器から前記第２の中継器へ送信するための第１の帯域と、前記第２の中継器から前記第１の中継器へ送信するための第２の帯域とにおいて相互に通信しており、
前記第２の中継器および前記第３の中継器は前記第２の中継器から前記第３の中継器へ送信するための第３の帯域と、前記第３の中継器から前記第２の中継器へ送信するための第４の帯域とにおいて相互に通信しており、
前記第３の中継器および前記第４の中継器は前記第３の中継器から前記第４の中継器へ送信するための前記第２の帯域と、前記第４の中継器から前記第３の中継器へ送信するための前記第１の帯域とにおいて相互に通信しているシステム。
【請求項２】
前記媒体は電力線である請求項１記載のシステム。
【発明の詳細な説明】
【技術分野】
【０００１】
本発明は通信、特に双方向媒体で通信するための構成に関し、構成は電力線における通信に適している。
【背景技術】
【０００２】
多数の形式の通信媒体が物理的な連続性が中断されることができない単一の信号媒体により特徴付けられている。また、全方向性とは反対に全体的に双方向または非常に限定された方向性を有する通信トランスデューサも存在する。それらの例には付勢された電力線、パイプに閉じ込められた気体および流体、ある光学的媒体が含まれている。
【０００３】
例えば、電力線通信では、信号は非方向的な方法でワイヤに結合され、即ち信号はワイヤに沿って両方向で伝播することができる。多くの場合には、一方の方向は意図する方向であり、他方の方向は意図していない。
【０００４】
信号の信号源から離れた距離では、信号対雑音比は中継器が信号により表されるデータを合理的な品質で伝送することを可能にするのに必要な点まで劣化する。連続的に送信している全二重モデムでは、受信機は両方向から信号を受信でき、意図している信号と干渉するために意図しない方向に伝播する信号が存在する可能性がある。
【発明の開示】
【発明が解決しようとする課題】
【０００５】
多数の周波数帯域が使用可能であるならば、中継器は１つの周波数で受信し、別の周波数で再送信することができる。しかしながら、この装置でさえも、特に、それぞれの送信機と受信機との間の減衰が類似であるために、意図している信号のレベルが意図していない信号のレベルに類似するならば、干渉からの免疫性を確実にできない。
【課題を解決するための手段】
【０００６】
本発明は、通信、特に双方向媒体で通信するための中継器の構成に関する。システムは第１の中継器と、第２の中継器と、第３の中継器と、第４の中継器とを含んでおり、それらはそれぞれ媒体に結合されている。第１の中継器および第２の中継器は第１の中継器から第２の中継器へ送信するための第１の帯域と、第２の中継器から第１の中継器へ送信するための第２の帯域とにおいて相互に通信している。第２の中継器および第３の中継器は第２の中継器から第３の中継器へ送信するための第３の帯域と、第３の中継器から第２の中継器へ送信するための第４の帯域とにおいて相互に通信している。第３の中継器および第４の中継器は第３の中継器から第４の中継器へ送信するための第２の帯域と、第４の中継器から第３の中継器へ送信するための第１の帯域とにおいて相互に通信している。
【発明を実施するための最良の形態】
【０００７】
本発明は通信、特に双方向媒体で通信するための中継器の構成に関する。その構成はここでは電力線通信システムの文脈で説明されているが、任意の双方向媒体で使用されることができ、特に単一の連続的な双方向媒体における全二重通信に適している。
【０００８】
図１は電力線通信システム100における中継器の構造のブロック図である。システム100はヘッドエンド（ＨＥ）700と、中継器Ａ705と、中継器Ｂ710と、中継器Ｃ715と、中継器Ｄ720とを含んでいる。周波数帯域の選択は意図している信号の振幅に関して意図しない信号の振幅を減少するために種々の中継器で使用されることができる。
【０００９】
ＨＥ700は周波数帯域１で中継器Ａ705に送信し、帯域２で聴取する。
【００１０】
中継器Ａ705は帯域１でＨＥ700の送信を聴取し、帯域２でＨＥ700に送信する。中継器Ａ705はまた帯域３で中継器Ｂ710に送信し、帯域４で中継器Ｂ710の送信を聴取する。
【００１１】
中継器Ｂ710は帯域３で中継器Ａ705の送信を聴取し、帯域４で中継器Ａ705に送信する。中継器Ｂ710はまた帯域２で中継器Ｃ715に送信し、帯域１で中継器Ｃ715の送信を聴取する。
【００１２】
中継器Ｃ715は帯域２で中継器Ｂ710の送信を聴取し、帯域１で中継器Ｂ710に送信する。中継器Ｃ715はまた帯域４で中継器Ｄ720に送信し、帯域３で中継器Ｄ720の送信を聴取する。
【００１３】
帯域１で聴取しながら帯域２で中継器Ｃ715へ送信するように中継器Ｂ710を構成することによって、中継器Ｃ715からの帯域１信号の意図しないパス725は２つのワイヤセグメント、即ちワイヤセグメントＢ−Ｃ780とワイヤセグメントＡ−Ｂ755とを通過する。中継器Ａ705の帯域１の受信機はＨＥ700からその意図している信号を受信し、これは１つのワイヤセグメント、即ちワイヤセグメントＨＥ−Ａ750を通過し、一方、中継器Ｃからの意図しない信号は２つのワイヤセグメントを有しているのでより多く減衰される。同様に他の意図しないパス760、765、770、775は２つのワイヤセグメントにまたがり、したがって意図していない信号を減衰させる。
【００１４】
したがって、双方向媒体で通信するためのシステムが提供される。説明の目的で、ＨＥ700を第１の中継器、中継器Ａ705を第２の中継器、中継器Ｂ710を第３の中継器、中継器Ｃ715を第４の中継器とする。システムはしたがって、それぞれ媒体に結合されている第１の中継器、第２の中継器、第３の中継器、第４の中継器を含んでいる。第１の中継器および第２の中継器は第１の中継器から第２の中継器へ送信するための第１の帯域と、第２の中継器から第１の中継器へ送信するための第２の帯域とで相互に通信している。第２の中継器および第３の中継器は第２の中継器から第３の中継器へ送信するための第３の帯域と、第３の中継器から第２の中継器へ送信するための第４の帯域とで相互に通信している。第３の中継器および第４の中継器は第３の中継器から第４の中継器へ送信するための第２の帯域と、第４の中継器から第３の中継器へ送信するための第１の帯域とで相互に通信している。
【００１５】
ここで説明した教示の種々の別の構成、組合わせ、変更が当業者により行われることが理解されるであろう。本発明は特許請求の範囲内に入る全てのこのような別の構成、変形、変化を含むことを意図している。
【図面の簡単な説明】
【００１６】
【図１】電力線通信システムにおける中継器の構造のブロック図。
【図１】
2006503505.tif 000003
【手続補正書】
【提出日】平成16年12月8日(2004.12.8)
【手続補正１】
【補正対象書類名】明細書
【補正対象項目名】０００１
【補正方法】変更
【補正の内容】
【０００１】
本発明は通信、特に双方向媒体で通信するための中継器の構成に関し、構成は電力線における通信に適している。
【国際調査報告】
2006503505.tif 000004